【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
制御装置と通信する通信手段を有し、共通の電池により駆動される印刷手段及び記憶手段を含む印刷装置であって、
前記電池の残量を調べる手段と、
前記調べた電池の残量に応じて、前記印刷手段と前記記憶手段との両方を使用可能な状態であるか、または、前記印刷手段と前記記憶手段とのどちらか一方のみを使用可能な状態であるかを判定する判定手段と、
前記判定した状態を、前記通信手段を介して前記制御装置に通知する手段と、
を備えることを特徴とする印刷装置。
【請求項２】
前記印刷手段及び前記記憶手段は、独立して動作可能であることを特徴とする請求項１に記載の印刷装置。
【請求項３】
前記電池の残量が不足し、前記印刷手段による印刷が継続不可能になった場合に、印刷対象のデータを前記記憶手段に退避させる手段を更に備えることを特徴とする請求項１または２に記載の印刷装置。
【請求項４】
前記判定手段は、前記調べた電池の残量に応じて、前記印刷手段と前記記憶手段との両方を使用不可能な状態を判定することを特徴とする請求項１乃至３のいずれか１項に記載の印刷装置。
【請求項５】
前記判定手段は、前記調べた電池の残量に応じて、前記印刷手段と前記記憶手段との両方を同時に使用可能な状態を判定することを特徴とする請求項１乃至４のいずれか１項に記載の印刷装置。
【請求項６】
前記判定手段は、前記電池の残量が十分であり、前記印刷手段と前記記憶手段との両方を同時に使用可能である第１の状態であるか、前記第１の状態よりも前記電池の残量が減少しており、前記印刷手段と前記記憶手段との両方を使用可能であるが同時には使用不可能な第２の状態であるか、前記第２の状態よりも前記電池の残量が減少しており、前記印刷手段は使用不可能であるが前記記憶手段は使用可能である第３の状態であるか、または、前記第３の状態よりも前記電池の残量が減少しており、前記印刷手段と前記記憶手段との両方を使用不可能である第４の状態であるかを判定することを特徴とする請求項１乃至５のいずれか１項に記載の印刷装置。
【請求項７】
前記判定手段は、前記電池の残量が十分であり、前記印刷手段と前記記憶手段との両方を使用可能である第１の状態であるか、前記第１の状態よりも前記電池の残量が減少しており、前記印刷手段は使用不可能であるが前記記憶手段は使用可能である第２の状態であるか、前記第２の状態よりも前記電池の残量が減少しており、前記印刷手段と前記記憶手段との両方を使用不可能である第３の状態であるかを判定することを特徴とする請求項１乃至５のいずれか１項に記載の印刷装置。
【請求項８】
外部機器と通信可能であり、表示手段、及び操作手段を有する制御装置であって、
前記外部機器から、前記外部機器の状態を受信する受信手段と、
前記外部機器に行わせる処理を前記操作手段を介してユーザに選択させるためのメニューを前記表示手段に表示する表示制御手段とを備え、
前記表示制御手段は、前記受信手段が受信した前記外部機器の状態に応じて、前記外部機器に行わせる処理の表示方法を変化させて前記メニューを表示することを特徴とする制御装置。
【請求項９】
前記外部機器の状態は、前記外部機器の利用可能な機能の状態であることを特徴とする請求項８に記載の制御装置。
【請求項１０】
前記外部機器の状態は、前記外部機器の電池の残量に関する状態であり、
前記制御装置が、前記電池の残量の状態から、前記外部機器の利用可能な機能を判定する判定手段を更に備え、
前記表示制御手段は、前記外部機器に行わせる処理のうち、前記利用可能な機能を用いる処理について、選択可能に表示した前記メニューを表示することを特徴とする請求項８に記載の制御装置。
【請求項１１】
前記表示制御手段は、前記外部機器に行わせる処理のうち、前記利用可能な機能を用いる処理とそれ以外の処理との表示方法を異ならせた前記メニューを表示することを特徴とする請求項９又は１０に記載の制御装置。
【請求項１２】
請求項８乃至１１のいずれか１項に記載の制御装置を有するデジタルカメラ。
【請求項１３】
請求項１乃至７のいずれか１項に記載の印刷装置、及び、請求項８乃至１１のいずれか１項に記載の制御装置を有することを特徴とする印刷システム。
【請求項１４】
制御装置と通信する通信手段を有し、共通の電池により駆動される印刷手段及び記憶手段を含む印刷装置の制御方法であって、
前記電池の残量を調べる工程と、
前記調べた電池の残量に応じて、前記印刷手段と前記記憶手段との両方を使用可能な状態であるか、または、前記印刷手段と前記記憶手段とのどちらか一方のみを使用可能な状態であるかを判定する判定工程と、
前記判定した状態を、前記通信手段を介して前記制御装置に通知する工程と、
を備えることを特徴とする印刷装置の制御方法。
【請求項１５】
請求項１４に記載の印刷装置の制御方法の各工程をコンピュータに実行させるためのプログラム。
【請求項１６】
請求項１５に記載のプログラムが記録されたコンピュータが読み取り可能な記録媒体。
【請求項１７】
外部機器と通信可能であり、表示手段、及び操作手段を有する制御装置の制御方法であって、
前記外部機器から、前記外部機器の状態を受信する受信工程と、
前記外部機器に行わせる処理を前記操作手段を介してユーザに選択させるためのメニューを前記表示手段に表示する表示制御工程とを備え、
前記表示制御工程では、前記受信工程で受信した前記外部機器の状態に応じて、前記外部機器に行わせる処理の表示方法を変化させて前記メニューを表示することを特徴とする制御装置の制御方法。
【請求項１８】
請求項１７に記載の制御装置の制御方法の各工程をコンピュータに実行させるためのプログラム。
【請求項１９】
請求項１８に記載のプログラムが記録されたコンピュータが読み取り可能な記録媒体。
【手続補正２】
【補正対象書類名】明細書
【補正対象項目名】発明の名称
【補正方法】変更
【補正の内容】
【発明の名称】印刷装置及び制御装置
【手続補正３】
【補正対象書類名】明細書
【補正対象項目名】０００７
【補正方法】変更
【補正の内容】
【０００７】
上記課題を解決するために、本発明に係る印刷装置は、制御装置と通信する通信手段を有し、共通の電池により駆動される印刷手段及び記憶手段を含む印刷装置であって、前記電池の残量を調べる手段と、前記調べた電池の残量に応じて、前記印刷手段と前記記憶手段との両方を使用可能な状態であるか、または、前記印刷手段と前記記憶手段とのどちらか一方のみを使用可能な状態であるかを判定する判定手段と、前記判定した状態を、前記通信手段を介して前記制御装置に通知する手段と、を備えることを特徴とする。
【手続補正４】
【補正対象書類名】明細書
【補正対象項目名】０００８
【補正方法】変更
【補正の内容】
【０００８】
また、本発明に係る制御装置は、外部機器と通信可能であり、表示手段、及び操作手段を有する制御装置であって、前記外部機器から、前記外部機器の状態を受信する受信手段と、前記外部機器に行わせる処理を前記操作手段を介してユーザに選択させるためのメニューを前記表示手段に表示する表示制御手段とを備え、前記表示制御手段は、前記受信手段が受信した前記外部機器の状態に応じて、前記外部機器に行わせる処理の表示方法を変化させて前記メニューを表示することを特徴とする。